(57)【特許請求の範囲】
【請求項１】
複数のスリットが所定方向へ並設されてなる換気部が設けられたキャビネットに対し、前記キャビネット内を換気するファンを取り付けるためのキャビネット用ファン取付具であって、
板状の壁部、該壁部の一方縁から略直角に折り曲げ形成されているとともに前記スリットの前記所定方向での間隔と同じ間隔で設けられた一対の係止爪、及び前記壁部の他方縁に前記係止爪とは逆方向へ略直角に折り曲げ形成された固定部とを備えた取付爪と、
前記ファンを取り付けるためのファン取付部を有するとともに、前記取付爪の前記固定部を当接状態でネジ止め可能な矩形状の取付板とからなり、
複数の前記取付爪を、前記取付板の対向する二辺に沿って傾倒可能な程度に仮ネジ止めし、当該仮ネジ止めした前記取付爪を傾倒させ、前記係止爪を前記キャビネットの内部側から前記所定方向で隣り合う２つの前記スリットに挿通させた後、前記取付爪を前記係止爪が前記二辺から夫々外方へ突出するような姿勢として、前記係止爪を前記キャビネットの表面に係止させ、当該姿勢のまま前記取付爪を強固にネジ止めして固定することにより、前記取付板を前記スリットの前記キャビネット内部側に支持可能としたことを特徴とするキャビネット用ファン取付具。
【請求項２】
前記取付板が、矩形板状体の四辺を全て前方へ折り曲げてなるカバー状に形成されており、折り曲げた側を前記キャビネットの内面に近接させた姿勢で前記取付爪により支持されることを特徴とする請求項１に記載のキャビネット用ファン取付具。
【請求項３】
カバー状に形成された前記取付板の内部空間に、前記スリットを介しての塵埃の侵入を防止するためのフィルター部材を収納したことを特徴とする請求項２に記載のキャビネット用ファン取付具。
【発明の詳細な説明】
【技術分野】
【０００１】
本発明は、電気機器等を収納するキャビネットに換気用のファンを取り付けるためのキャビネット用ファン取付具に関するものである。
【背景技術】
【０００２】
従来、電気機器等の収納を目的として製造されるキャビネットには、キャビネット内を換気するために、たとえば扉体等に複数のスリットが形成されている。しかしながら、キャビネット内部へ収納する電気機器の種類や大きさ、数等により、スリットを設けただけでは十分に換気できないこともあるため、たとえば特許文献１に記載されているように、扉体等の内面側においてスリットを覆うようにファンを取り付けたキャビネットも考案されている。
【先行技術文献】
【特許文献】
【０００３】
【特許文献１】特開２０００−２２３８７４号公報
【発明の概要】
【発明が解決しようとする課題】
【０００４】
従来、キャビネットの設置後に、キャビネット内へ収納する電気機器の種類や数に応じて使用者からファンの後付けを望まれる場合があった。しかしながら、従来では、ファンを取り付けるに際し、扉体にファンを取り付けるための取付孔等を設ける必要があることから、ファンの後付けが非常に困難であった。そのため、予めファンが取り付けられてなるキャビネットに交換しなければならない場合もあり、キャビネットの汎用性やコストの点で問題があった。
【０００５】
そこで、本発明は、上記問題に鑑みなされたものであって、ファンを容易に後付けすることができ、キャビネットの汎用性の向上や低コスト化等を図ることができるキャビネット用ファン取付具を提供しようとするものである。
【課題を解決するための手段】
【０００６】
上記目的を達成するために、本発明のうち請求項１に記載の発明は、複数のスリットが所定方向へ並設されてなる換気部が設けられたキャビネットに対し、前記キャビネット内を換気するファンを取り付けるためのキャビネット用ファン取付具であって、板状の壁部、該壁部の一方縁から略直角に折り曲げ形成されているとともに前記スリットの前記所定方向での間隔と同じ間隔で設けられた一対の係止爪、及び前記壁部の他方縁に前記係止爪とは逆方向へ略直角に折り曲げ形成された固定部とを備えた取付爪と、前記ファンを取り付けるためのファン取付部を有するとともに、前記取付爪の前記固定部を当接状態でネジ止め可能な矩形状の取付板とからなり、複数の前記取付爪を、前記取付板の対向する二辺に沿って傾倒可能な程度に仮ネジ止めし、当該仮ネジ止めした前記取付爪を傾倒させ、前記係止爪を前記キャビネットの内部側から前記所定方向で隣り合う２つの前記スリットに挿通させた後、前記取付爪を前記係止爪が前記二辺から夫々外方へ突出するような姿勢として、前記係止爪を前記キャビネットの表面に係止させ、当該姿勢のまま前記取付爪を強固にネジ止めして固定することにより、前記取付板を前記スリットの前記キャビネット内部側に支持可能としたことを特徴とする。
請求項２に記載の発明は、請求項１に記載の発明において、前記取付板が、矩形板状体の四辺を全て前方へ折り曲げてなるカバー状に形成されており、折り曲げた側を前記キャビネットの内面に近接させた姿勢で前記取付爪により支持されることを特徴とする。
請求項３に記載の発明は、請求項２に記載の発明においてカバー状に形成された前記取付板の内部空間に、前記スリットを介しての塵埃の侵入を防止するためのフィルター部材を収納したことを特徴とする。
【発明の効果】
【０００７】
本発明によれば、複数の取付爪を、取付板の対向する二辺に沿って傾倒可能な程度に仮ネジ止めし、当該仮ネジ止めした取付爪を傾倒させ、一対の係止爪をキャビネットの内部側から隣り合う２つのスリットに挿通させた後、取付爪を係止爪が二辺から夫々外方へ突出するような姿勢として、係止爪をキャビネットの表面に係止させ、当該姿勢のまま取付爪を強固にネジ止めして固定することにより、取付板をスリットのキャビネット内部側に支持可能としている。したがって、ファンを後付けしたい場合に、キャビネット全体を交換したりすることなく、非常に容易に後付けすることができ、キャビネットの汎用性を向上することができるし、ひいてはコストの低減等をも図ることができる。
また、請求項２に記載の発明によれば、取付板をカバー状に形成しており、折り曲げた側をキャビネットの内面に近接させた姿勢で取付爪により支持させている。したがって、折り曲げ部によって取付板の板状体とキャビネットの内面との間を被覆することができるため、ファンを取付板に取り付けるためのネジ等を使用者から隠すことができ、キャビネット用ファン取付具の設置後の見栄えを良くすることができる。
さらに、請求項３に記載の発明によれば、カバー状に形成された取付板の内部空間にフィルター部材を収納しているため、スリットを介して塵埃がキャビネット内へ侵入することを防止することができるし、ファンの騒音抑制にもなる。
【図面の簡単な説明】
【０００８】
【図１】キャビネットを正面側から示した説明図である。
【図２】ファンを取り付けるための取付爪を示した説明図であり、（ａ）は後方から示した説明図、（ｂ）は側方から示した説明図である。
【図３】ファンが取り付けられる取付板を示した説明図であり、（ａ）は後方から示した説明図、（ｂ）は側方から示した説明図である。
【図４】取付爪及び取付板を扉体の換気部に取り付けた状態を扉体の後面側から示した説明図である。
【図５】図４に示す状態の上下方向での断面を示した説明図である。
【図６】取付板へファンを取り付けた状態を示した説明図である。
【図７】図６に示す状態を上方から示した示した説明図である。
【図８】取付爪の変更例を示した説明図であり、（ａ）は後方から示した説明図、（ｂ）は側方から示した説明図である。
【図９】変更例となる取付爪及び取付板を扉体の換気部に取り付けた状態を扉体の後面側から示した説明図である。
【図１０】図９に示す状態の左右方向での断面を示した説明図である。
【発明を実施するための形態】
【０００９】
以下、本発明の一実施形態となるキャビネット用ファン取付具（以下、単にファン取付具と称す）について、図面にもとづき詳細に説明する。
【００１０】
図１は、キャビネット１を正面側から示した説明図である。また、図２は、ファン４０を取り付けるための取付爪２を示した説明図であり、（ａ）は後方から示した説明図、（ｂ）は側方から示した説明図である。さらに、図３は、ファン４０が取り付けられる取付板３を示した説明図であり、（ａ）は後方から示した説明図、（ｂ）は側方から示した説明図である。
【００１１】
キャビネット１は、前面に開口を有する箱体である本体１１と、本体１１の前面開口を開閉するための扉体１２とからなる。扉体１２は、その右側縁（前方から見て）を本体１１に軸支されて片開き可能に取り付けられており、左側縁部の略中央には取っ手１３が設けられている。また、該扉体１２の上部及び下部には、多数の上下方向へ長いスリット１４、１４・・からなる換気部１５が設けられている。各スリット１４は、扉体１２を閉じたままキャビネット１内の換気を図るために開設されたものであって、このスリット１４、１４・・が、上部及び下部の換気部１５では上下方向へ４列、左右方向へ６５行にわたって並設されている。
【００１２】
そして、上記キャビネット１に対してファン４０を後付けしたい場合には、以下に記載の取付爪２及び取付板３からなるファン取付具を用いればよい。
取付爪２は、取付板３を支持するための金属製の部材であって、前後方向に延びる板状の壁部２ａと、壁部２ａの前縁に設けられた一対の係止爪２ｂ、２ｂと、壁部２ａの後縁に設けられた板状の固定部２ｃとを一体的に備えている。そして、係止爪２ｂ、２ｂと固定部２ｃとは、壁部２ａから互いに逆方向へ略直角に折り曲げて形成されている。また、各係止爪２ｂは、スリット１４内に挿通可能に形成されており、係止爪２ｂ、２ｂ同士の間隔は、左右方向で隣り合うスリット１４、１４同士の間隔と同じとされている。一方、固定部２ｃには、後述する取付板３にネジ止めするためのネジ孔４が設けられている。
【００１３】
取付板３は、ファン４０を取付可能な金属製の部材であって、左右方向へ長い板状体の四辺を全て前方に折り曲げたカバー状に形成されてなる。この取付板３は、上下の各換気部１５を覆うことができる左右幅及び上下幅を有しており、板状体の上縁及び下縁に沿って、取付爪２の固定部２ｃを固定可能な複数のネジ孔５、５・・が設けられている。また、取付板３には、ファンを取り付けるためのファン取付孔６、６・・及び排気のためのファン孔７からなるファン取付部８が３箇所設けられている。尚、取付板３の折り曲げ部の折り曲げ長さは、取付爪２の壁部２ａの前後方向長さ及び固定部２ｃの厚みと略同じとされている。そして、後述するように取付板３に取付爪２をネジ止めした場合、取付爪２の係止爪２ｂ、２ｂが、取付板３の折り曲げ部の前縁を越えて上下外方へ突出可能となっている。
【００１４】
ここで、上記取付爪２及び取付板３を用いて、キャビネット１へファン４０を後付けする方法について説明する。図４は、取付爪２、２・・及び取付板３を扉体２の換気部１５に取り付けた状態を扉体２の後面側から示した説明図であり、図５は、同状態の上下方向での断面を示した説明図である。図６は、取付板３へファン４０、４０・・を取り付けた状態を示した説明図であり、図７は、同状態を上方から示した説明図である。尚、図４及び図５では、取付板３に取付爪２を取り付けるためのネジについて、その図示を省略している。
【００１５】
まず、取付板３の板状体に対し、各ネジ孔５毎に１つの取付爪２をネジ４１（図６に示す）により仮ネジ止めする。この仮ネジ止め作業に際しては、各取付爪２の固定部２ｃの表面を板状体の前面側（すなわちカバーの内部空間側）から当接させた状態でネジ止めする。また、取付板３の上縁側のネジ孔５、５・・に取り付ける取付爪２、２・・は、係止爪２ｂ、２ｂが取付板３の前縁を越えて上方へ突出する姿勢とし、取付板３の下縁側のネジ孔５、５・・に取り付ける取付爪２、２・・は、係止爪２ｂ、２ｂが下方へ突出する姿勢とする。さらに、どの取付爪２、２・・もガタ付き可能な程度にネジ止めする。
【００１６】
次に、各取付爪２の係止爪２ｂ、２ｂを、各換気部１５において扉体２の後面側から隣り合うスリット１４、１４に挿通させて扉体２の前面側へ突出させ、扉体２の表面（スリット１４、１４の上下外側の周縁部）に係止させる。この係止作業に際しては、取付板３の上縁又は下縁の何れか一方の取付爪２、２・・の係止爪２ｂ、２ｂをまずスリット１４、１４・・の周縁部に係止させた後、他方の取付爪２、２・・をガタ付きの範囲内で傾倒させ、その係止爪２ｂ、２ｂをスリット１４、１４へ挿通・係止させればよい。また、各係止爪２ｂ、２ｂをどのスリット１４、１４に挿通させるか、すなわち取付爪２の係止位置については、取付板３によって換気部１５のスリット１４、１４・・が全て覆われる位置であればよい。
【００１７】
そして、最後に、仮止めしていたネジ４１を締め上げて、取付板３と取付爪２、２・・とを強固に連結すれば取付板３が換気部１５の後方位置（スリット１４、１４・・のキャビネット１内方側）で支持される。そこで、取付板３のファン取付部８、８・・に一般的に使用されているファン４０、４０・・をネジ止め等により取り付ければ、キャビネット１へのファン４０の後付けは完了となる。尚、ファン４０を取り付けたものの、ファン４０の必要がなくなった場合等には、上記方法とは逆の手順により、ファン４０を取り外すことも可能である。
【００１８】
上述したようなファン取付具によれば、スリット１４に挿通可能で、且つ、左右方向で隣り合うスリット１４、１４同士の間隔と同じ間隔で設けられた一対の係止爪２ｂ、２ｂを有する取付爪２と、該取付爪２を上下縁に沿って固定可能で、且つ、ファン取付部８が設けられた取付板３とからなり、取付板３にネジ止めされた取付爪２の係止爪２ｂ、２ｂを、スリット１４、１４の後面側から前面側へ挿通させ、扉体２の表面に係止させることにより、取付板３をスリット１４、１４・・の後方位置で支持可能としている。したがって、ファン４０を後付けしたい場合に、キャビネット全体を交換したりすることなく、ファン４０の後付けを非常に容易に行うことができ、キャビネット１の汎用性を向上することができるし、ひいてはコストの低減等をも図ることができる。
【００１９】
なお、本発明に係るファン取付具は、上記実施形態の態様に何ら限定されるものではなく、取付爪や取付板に係る構成、キャビネットへの取付位置に係る構成等を、本発明の趣旨を逸脱しない範囲で、必要に応じて適宜変更することができる。
【００２０】
たとえば、上記取付爪２及び取付板３に代えて、図８〜図１０に示す取付爪２２及び取付板２３を採用することも可能である。取付爪２２は、上下方向に長い板状体を前後方向に立設させてなる壁部２２ａを備えているとともに、該壁部２２ａの前縁に一対の係止爪２２ｂ、２２ｂを、後縁に２つのネジ孔２４、２４を有する固定部２２ｃを、夫々逆方向へ略直角に折り曲げ形成してなる。また、各係止爪２２ｂは、スリット１４内に挿通可能に形成されており、係止爪２２ｂ、２２ｂ同士の間隔は、各換気部１５の最上段のスリット１４と最下段のスリット１４との間隔と同じとされている。一方、取付板２３は、取付板３同様のカバー状に形成されており、ファン取付部８も同様に設けられているものの、取付爪２２をネジ止めするためのネジ孔２５については板状体の四隅にのみ設けられている。
【００２１】
以上のような取付爪２２及び取付板２３を用いる際にも、上記実施形態同様に、まず取付爪２２、２２を、取付板２３の左右両側に前面側から仮ネジ止めする。このとき、取付爪２２、２２の係止爪２２ｂ、２２ｂ・・は、取付板２３の左右両側の折り曲げ部前縁を越えて夫々外方へ突出する。そして、この係止爪２２ｂ、２２ｂを、各換気部１５の左右の最上段のスリット１４及び最下段のスリット１４に扉体２の後面側から挿通させ、扉体２２の表面（スリット１４、１４の左右外側の周縁部）に係止させた後、ネジを締め付けて取付爪２２と取付板２３とを強固に連結するだけで良い。したがって、上記実施形態同様、ファン４０の後付けを容易に行うことができ、キャビネット１の汎用性の向上等を図ることができる。
【００２２】
また、上記実施形態や変更例のファン取付具において、取付板３、２３の前面と扉体２の後面との間の空間、すなわちカバーの内部空間に、スリット１４、１４・・を介して塵埃が侵入する事態を防止するためのフィルター部材を収納してもよい。尚、フィルター部材を収納することにより、ファン４０を駆動させた際に生じる騒音の抑制にもなる。
さらに、取付爪２、２２に設ける係止爪２ｂ、２２ｂ同士の間隔も適宜変更可能であって、上記実施形態や変更例の間隔に何ら限定されることはないし、係止爪を１つしか有さない取付爪を採用することも可能である。
【００２３】
さらにまた、取付板２、２３を必ずしもカバー状に形成する必要はなく、ただの板状体として構成することも可能である。ただ、取付板３、２３をカバー状に形成することにより、たとえば取付爪２、２２の壁部２ａ、２２ａやファン４０をファン取付部８に取り付ける際のネジ等を被覆することができ、見栄えが良くなるといった効果がある。
加えて、キャビネットの扉体以外に換気部が形成されている場合には、その換気部にファン取付具を用いてファンを取り付けることは当然可能である。また、スリットが上下方向や左右方向へ十分に長いような場合には、１つのスリットに２つの取付爪の係止爪を挿通させることも可能である。
【符号の説明】
【００２４】
１・・キャビネット、２、２２・・取付爪、２ａ、２２ａ・・壁部、２ｂ、２２ｂ・・係止爪、２ｃ、２２ｃ・・固定部、３、２３・・取付板、４、２４・・ネジ孔、５、２５・・ネジ孔、６・・ファン取付孔、７・・ファン孔、８・・ファン取付部、１２・・扉体、１４・・スリット。
【図１】
0005529592.tif 000002
【図２】
0005529592.tif 000003
【図３】
0005529592.tif 000004
【図４】
0005529592.tif 000005
【図５】
0005529592.tif 000006
【図６】
0005529592.tif 000007
【図７】
0005529592.tif 000008
【図８】
0005529592.tif 000009
【図９】
0005529592.tif 000010
【図１０】
0005529592.tif 000011